(57)【特許請求の範囲】
【請求項１】
原稿から画像を読み取る画像読取装置と、前記画像読取装置が読み取った画像を用紙に形成する画像形成部と、を備えた画像形成装置であって、
前記画像読取装置は、
原稿を載置する載置台と、
密着光学系イメージセンサーを含み、前記密着光学系イメージセンサーを用いて前記載置台に載置された原稿の主走査方向の幅を検知すると共に、前記密着光学系イメージセンサーを用いて当該原稿の画像を読み取り、画像データを出力する読取手段と、
複数の用紙サイズと、当該各用紙サイズの縦及び横の寸法とを対応付けて記憶する用紙サイズ記憶手段と、
前記用紙サイズ記憶手段から、前記縦又は横の寸法が前記読取手段によって検知された前記原稿の幅と同じ用紙サイズを全て選択する選択手段と、
前記選択手段が選択した用紙サイズを表示部に表示させる表示制御手段と、
前記表示部に表示された用紙サイズの中から前記載置台に載置された原稿のサイズと一致する用紙サイズの選択入力を受け付ける原稿サイズ受付手段と、
前記原稿サイズ受付手段が選択入力を受け付けた回数を前記用紙サイズ毎に記憶する使用回数記憶手段と、を備え、
前記表示制御手段は、前記読取手段によって前記原稿の主走査方向の幅が検知された後、前記選択手段が選択した用紙サイズの使用回数を前記使用回数記憶手段から読み出し、ユーザーが所望の用紙サイズを見つけやすくするために、過去の前記使用回数が多かった用紙サイズを上から順番に表示させ、
前記密着光学系イメージセンサーと異なるセンサーであって、前記載置台に載置された前記原稿のサイズを検知する原稿検知センサーを備えていない画像形成装置。
【発明の詳細な説明】
【技術分野】
【０００１】
本発明は、密着光学系イメージセンサーを備えた画像読取装置、当該画像読取装置を備えた画像形成装置に関する。
【背景技術】
【０００２】
縮小光学系イメージセンサーであるＣＣＤ（Charge Coupled Device）を用いた画像読取装置における原稿サイズの検知方法は様々なものがある。例えば、特許文献１には、載置台の基準位置から副走査方向に予め定められた長さ離れた位置に原稿検知センサーを配置し、ＣＣＤが読み取った原稿の主走査方向の用紙幅と原稿検知センサーの検知結果を組み合せて原稿サイズを確定する方法が記載されている。また、特許文献２には、複数の原稿検知センサーを配置して原稿サイズを確定する方法が記載されている。
【先行技術文献】
【特許文献】
【０００３】
【特許文献１】特開２００１−２８２０４９号公報
【特許文献２】特開平８−３０１４８号公報
【発明の概要】
【発明が解決しようとする課題】
【０００４】
昨今の新興国向けの画像読取装置では、装置のコストダウン、装置サイズのコンパクト化がより一層進んでいることから、密着光学系イメージセンサー（ＣＩＳ；Contact Image Sensor）を用いた画像読取装置が普及しつつある。ＣＩＳを用いることで薄型化を実現でき、且つコストや消費電力を抑えることができる。
【０００５】
しかし、装置が薄型になると、本来使用していた原稿検知センサーを装置内に配置することが難しくなる。原稿検知センサーは検知距離（原稿検知センサーと原稿との間の距離）を５０ｍｍ〜８０ｍｍ程度必要とするものが多い。従って、ＣＩＳを用いた画像読取装置内に原稿検知センサーを配置すると、検知距離を確保するために原稿検知センサーの配置箇所のみ装置筐体から外側に突出した形となってしまう。特に、印刷された用紙を排出する排出トレイの上部に画像読取装置を配置する構成の画像形成装置の場合、突出した部分が装置外観を損なわせる原因となるばかりか、ユーザーが排出トレイの用紙を取るために手を差し入れた時に、手が突出した部分にぶつかる可能性もあった。
【０００６】
更に、原稿検知センサーは価格が高いため、ＣＩＳを用いたことによる装置のコストダウンの妨げとなってしまう。
【０００７】
また、原稿検知センサーを廃止すると、画像読み取りを行う度にユーザーが原稿サイズの確定を行う必要があり、操作の手間となってしまう。
【０００８】
本発明は、上記の問題を解決するためになされたもので、ＣＩＳを用いた画像読取装置を備える画像形成装置において、コストをかけず且つユーザーの操作負担を軽減させた方法で原稿サイズの検知を行う画像形成装置を提供することを目的とする。
【課題を解決するための手段】
【０００９】
本発明による画像読取装置は、原稿を載置する載置台と、密着光学系イメージセンサーを用いて前記載置台に載置された原稿の主走査方向の幅を検知すると共に、当該原稿の画像を読み取る読取手段と、複数の用紙サイズと、当該各用紙サイズの縦及び横の寸法とを対応付けて記憶する用紙サイズ記憶手段と、前記用紙サイズ記憶手段から、前記縦又は横の寸法が前記読取手段の読み取った前記原稿の幅と同じ用紙サイズを全て選択する選択手段と、前記選択手段が選択した用紙サイズを表示部に表示させる表示制御手段と、前記表示部に表示された用紙サイズの中から前記載置台に載置された原稿のサイズと一致する用紙サイズの選択入力を受け付ける原稿サイズ受付手段と、を備える。
【００１０】
従来、原稿サイズの検出を原稿検知センサーにて行っていた。しかし、原稿検知センサーは原稿との間の検知距離を確保する必要があり、原稿検知センサーの配置によって密着光学系イメージセンサーの特色である装置の薄型化を阻んでいた。しかし、上記構成にすることで、ユーザーの操作負担を抑えつつ原稿検知センサーを用いずに原稿サイズを確定することができ、装置の薄型化とコストダウンを図ることができる。
【００１１】
また、上記構成において、前記原稿サイズ受付手段が選択入力を受け付けた回数を前記用紙サイズ毎に記憶する使用回数記憶手段を更に備え、前記表示制御手段は、前記選択手段が選択した用紙サイズの使用回数を前記使用回数記憶手段から読み出し、当該使用回数の多い順に前記用紙サイズを並べて表示させることが望ましい。
【００１２】
この構成によれば、表示制御手段は選択手段が選択した用紙サイズを使用頻度の多い順番に並べて表示するため、ユーザーは所望のサイズを選択しやすくなり、操作性を向上させることができる。
【００１３】
更に、本発明による画像読取装置は、原稿を載置する載置台と、密着光学系イメージセンサーを用いて前記載置台に載置された原稿の主走査方向の幅を検知すると共に、当該原稿の画像を読み取る読取手段と、用紙の長手方向を主走査方向に向けて前記載置台に置いた時の当該用紙の主走査方向の幅と、前記用紙の長手方向を主走査方向と直交する副走査方向に向けて前記載置台に置いた時の当該用紙の主走査方向の幅とを、各用紙サイズに対応付けて記憶する用紙サイズ記憶手段と、前記載置台に載置された原稿の長手方向が主走査方向又は副走査方向の何れであるかの選択入力を受け付ける原稿方向受付手段と、前記原稿方向受付手段が受け付けた方向が主走査方向である場合、前記用紙サイズ記憶手段が記憶する前記用紙の長手方向を主走査方向に向けて前記載置台に置いた時の当該用紙の主走査方向の幅から前記読取手段が読み取った前記原稿の幅と同じ幅の用紙サイズを選択し、前記原稿方向受付手段が受け付けた方向が副走査方向である場合、前記用紙サイズ記憶手段が記憶する前記用紙の長手方向を副走査方向に向けて前記載置台に置いた時の当該用紙の主走査方向の幅から前記読取手段が読み取った前記原稿の幅と同じ幅の用紙サイズを選択する選択手段と、を備えたものである。
【００１４】
この構成によれば、ユーザーの操作負担を抑えつつ原稿検知センサーを用いずに原稿サイズを確定することができ、装置の薄型化とコストダウンを図ることができる。
【００１５】
本発明による画像読取装置は、原稿から画像を読み取る画像読取装置と、前記画像読取装置が読み取った画像を用紙に形成する画像形成部と、を備え、前記画像読取装置は上記構成のものである。
【００１６】
この構成によれば、上記構成と同様の効果を奏することができる。
本発明による画像形成装置の一態様は、原稿から画像を読み取る画像読取装置と、前記画像読取装置が読み取った画像を用紙に形成する画像形成部と、を備えた画像形成装置であって、前記画像読取装置は、原稿を載置する載置台と、密着光学系イメージセンサーを含み、前記密着光学系イメージセンサーを用いて前記載置台に載置された原稿の主走査方向の幅を検知すると共に、前記密着光学系イメージセンサーを用いて当該原稿の画像を読み取り、画像データを出力する読取手段と、複数の用紙サイズと、当該各用紙サイズの縦及び横の寸法とを対応付けて記憶する用紙サイズ記憶手段と、前記用紙サイズ記憶手段から、前記縦又は横の寸法が前記読取手段によって検知された前記原稿の幅と同じ用紙サイズを全て選択する選択手段と、前記選択手段が選択した用紙サイズを表示部に表示させる表示制御手段と、前記表示部に表示された用紙サイズの中から前記載置台に載置された原稿のサイズと一致する用紙サイズの選択入力を受け付ける原稿サイズ受付手段と、前記原稿サイズ受付手段が選択入力を受け付けた回数を前記用紙サイズ毎に記憶する使用回数記憶手段と、を備え、前記表示制御手段は、前記読取手段によって前記原稿の主走査方向の幅が検知された後、前記選択手段が選択した用紙サイズの使用回数を前記使用回数記憶手段から読み出し、ユーザーが所望の用紙サイズを見つけやすくするために、過去の前記使用回数が多かった用紙サイズを上から順番に表示させ、前記密着光学系イメージセンサーと異なるセンサーであって、前記載置台に載置された前記原稿のサイズを検知する原稿検知センサーを備えていない。
【発明の効果】
【００１７】
この発明によれば、ユーザーの操作負担を抑えつつ原稿検知センサーを用いずに原稿サイズを確定することができ、装置の薄型化とコストダウンを図ることができる。
【図面の簡単な説明】
【００１８】
【図１】画像形成装置の内部構成を概略的に示す側面図。
【図２】第１の実施の形態における画像形成装置の電気的構成を示すブロック図。
【図３】用紙サイズ記憶部が記憶する内容を示した図。
【図４】従来の画像読取部の内部を説明するための斜視図。
【図５】従来の画像読取部の下方斜視図。
【図６】原稿検知センサーの位置で切断した時の画像読取部の断面図。
【図７】第１の実施の形態における原稿サイズ検出処理の流れを示したフローチャート。
【図８】表示部に表示される画面の一例を示した図。
【図９】第２の実施の形態における画像形成装置の電気的構成を示すブロック図。
【図１０】用紙サイズ記憶部が記憶する内容を示した図。
【図１１】原稿の向きについて説明するための図。
【図１２】第２の実施の形態における原稿サイズ検出処理の流れを示したフローチャート。
【図１３】表示部に表示される画面の一例を示した図。
【図１４】表示部に表示される画面の一例を示した図。
【発明を実施するための形態】
【００１９】
以下、本発明の実施形態に係る画像読取装置及び画像形成装置について、図面に基づき詳細に説明する。
【００２０】
〔第１の実施の形態〕
図１は、本発明の一実施形態に係る画像形成装置１の内部構成を概略的に示す側面図である。画像形成装置１は、コピー機能、プリンタ機能、スキャナ機能及びファクシミリ機能等の機能を兼ね備えたものであり、本体部２、本体部２の左方に配設されたスタックトレイ３、本体部２の上部に配設された画像読取部４（画像読取装置）を備えている。
【００２１】
尚、本発明は、スキャナ機能のみの単体機にも適用可能である。また、画像形成装置１は、少なくともスキャナ機能を備えたものであればよく、例えばファクシミリ装置であってもよい。
【００２２】
画像形成装置１のフロント部には、入力操作部６が設けられている。この入力操作部６には、ユーザーが印刷実行指示を入力するためのスタートキー７、印刷部数等を入力するためのテンキー８、液晶ディスプレイ等からなり各種動作の操作ガイドやメッセージ等を表示する表示部９、この表示部９と一体的に構成されてなり、ユーザーの押下に応じた操作信号を後述する制御部へ出力するタッチパネル１５（原稿サイズ受付手段）、表示部９で設定された設定内容等をリセットするリセットキー１０、実行中の動作を停止させるためのストップキー１１、コピー機能、プリンタ機能、スキャナ機能及び送信機能を切り換えるための機能切換キー１２等が備えられている。
【００２３】
画像読取部４は、ＣＩＳ及び露光ランプ等からなるスキャナ部１３（読取手段）と、ガラス等の透明部材により構成された載置台１４とを備える。スキャナ部１３は、図略の駆動部によって移動可能に構成され、載置台１４に載置された原稿を読み取るときは、載置台１４に対向する位置で原稿面に沿って移動され、原稿を走査しつつ読み取った画像データを制御部へ出力する。
【００２４】
プラテン５は、画像読取部４の上面全体を覆うように配置され、その前面側が上方に移動可能となるように画像読取部４に対して回動自在に設けられている。プラテン５の前面側を上方に移動させて載置台１４を開放することにより、載置台１４に原稿、例えば見開き状態にされた書籍等を載置できる。
【００２５】
本体部２は、複数の給紙カセット１９と、給紙カセット１９から用紙を１枚ずつ繰り出して画像形成部２１へ搬送する給紙ローラー２０と、給紙カセット１９から搬送されてきた用紙に画像を形成する画像形成部２１とを備える。
【００２６】
画像形成部２１は、スキャナ部１３で取得された画像データに基づきレーザー光等を出力して感光体ドラム２２を露光し、感光体ドラム２２の表面に静電潜像を形成する光学ユニット２３と、静電潜像が形成された感光体ドラム２２の表面にトナーを付着することによりトナー像を形成する現像部２４と、感光体ドラム２２上のトナー像を用紙に転写する転写部２５と、トナー像が転写された用紙を加熱してトナー像を用紙に定着させる定着ローラー２６及び加圧ローラー２７を備えた定着装置２８と、画像形成部２１内の用紙搬送路中に設けられ、用紙をスタックトレイ３又は排出トレイ２９まで搬送する搬送ローラー対３０及び３１等を備える。
【００２７】
また、用紙の両面に画像を形成する場合は、画像形成部２１で用紙の一方の面に画像を形成した後、この用紙を排出トレイ２９側の搬送ローラー対３０にニップされた状態とする。この状態で搬送ローラー対３０を反転させて用紙をスイッチバックさせ、用紙を用紙搬送路３２に送って画像形成部２１の上流域に再度搬送し、画像形成部２１により他方の面に画像を形成した後、用紙をスタックトレイ３又は排出トレイ２９に排出する。
【００２８】
排出トレイ２９は、画像読取部４の下部に設けられている。つまり、画像読取部４の底部の一部は排出トレイ２９側に露出した構成となっている。
【００２９】
図２は、第１の実施の形態における画像形成装置１の電気的構成を示すブロック図である。画像形成装置１は、制御部７１、記憶部７２、画像読取部４、画像メモリ７３、画像処理部７４、画像形成部２１、入力操作部６及びネットワークＩ／Ｆ部７５を備えて構成されている。尚、図１を用いて説明した構成要素と同じものには同符号を付して、説明を省略する。
【００３０】
記憶部７２は、画像形成装置１の備える種々の機能を実現するためのプログラムやデータ等を記憶するものであり、用紙サイズ記憶部７２１（用紙サイズ記憶手段）及び使用回数記憶部７２２（使用回数記憶手段）を有する。
【００３１】
図３は、用紙サイズ記憶部７２１が記憶する内容を示した図である。用紙サイズ記憶部７２１は、様々な種類の紙の寸法を記憶する。例えば、ＩＳＯ２１６で画定されているＡ列、ＪＩＳで画定されているＪＩＳＢ列、アメリカやカナダ等のＤＦＳ、写真印画紙等が挙げられる。この他、予め定められているサイズは、封筒サイズやキャンバスサイズ等があり、図３に示した内容は、用紙サイズ記憶部７２１の記憶内容を限定するものではなく、あくまで一例である。
【００３２】
使用回数記憶部７２２は、ユーザーが選択した（原稿サイズ選択部７１１が確定した）原稿サイズの回数を用紙サイズ毎に記憶する。
【００３３】
画像読取部４はプラテン５の開閉状態を検知する開閉センサー４１を有する。開閉センサー４１は、プラテン５の開閉状態を検知して、検知結果を制御部７１へ出力する。
【００３４】
画像メモリ７３は、スキャナ部１３が取得した画像データやネットワークＩ／Ｆ部７５を介して外部装置から送信された画像データを一時的に記憶する。画像処理部７４は、画像メモリ７３に記憶されている画像データに対して画像補正や拡大・縮小等の画像処理を施す。
【００３５】
ネットワークＩ／Ｆ部７５は、ＬＡＮ（Local Area Network）やＷＡＮ（Wide Area Network）等のネットワークを介して、これらネットワークに接続された端末装置との間で通信を行う通信インターフェイス回路である。
【００３６】
制御部７１は、ＣＰＵ（Central Processing Unit：中央処理装置）等によって構成され、記憶部７２に記憶されたプログラムを読み出して処理を実行し、各機能部への指示信号の出力、データ転送等を行って画像形成装置１を統括的に制御するものであり、原稿サイズ選択部７１１（選択手段）及び表示制御部７１２（表示制御手段）を有する。
【００３７】
表示制御部７１２は、表示部９に対して設定画面やユーザーに対するメッセージ等の表示を行わせるための制御を行う。原稿サイズ選択部７１１は、スキャナ部１３が読み取った載置台１４上の原稿の主走査方向の用紙幅から原稿サイズを確定する。
【００３８】
図４は、従来の画像読取部４００の内部を説明するための斜視図である。画像読取部４００は、筐体９０内に少なくともスキャナ部９１、原稿検知センサー９２を有する。原稿検知センサー９２は、原稿の副走査方向の幅を検出する。尚、スキャナ部９１と原稿検知センサー９２の上部にはガラス等の載置台が配置される（不図示）。
【００３９】
開閉センサー９３は、蓋の開閉を検知するためのセンサーである。載置台を開閉するプラテン（不図示）は、画像読取部４００に回動自在に取り付けられており、プラテンが閉じることによってプラテン自身が開閉センサー９３に押力を加える。これにより開閉センサー９３が制御部へ信号を出力し、制御部はプラテンが閉状態であると判断する。
【００４０】
図５は、従来の画像読取部４００の下方斜視図であり、図６は原稿検知センサー９２の位置で切断した時の画像読取部４００の断面図である。図６において、Ｐは原稿、９４は載置台である。原稿検知センサー９２は、載置台に載置された原稿を正確に検知するために、原稿との間に５０ｍｍ〜８０ｍｍの検知距離を必要とする。この検知距離を確保する為に、筐体９０の底部に筐体９０から外側に飛び出した凸部９２１を設け、この凸部９２１に原稿検知センサー９２を配置していた。つまり、ＣＩＳを用いた画像読取部４００は非常に薄型に構成できるが、原稿検知センサー９２の検知距離を確保する為に、凸部９２１を設ける必要があり、装置の薄型化を阻んでいた。
【００４１】
また、図１のように、画像読取部４の下に排出トレイ２９がある場合凸部９２１は排出トレイ２９側に突出することになり、更に凸部９２１の存在によって装置の外観を損なう恐れがある。そして、ユーザーが排出された用紙を取るために排出トレイ２９に手を入れた際、凸部９２１に手をぶつける可能性もあった。
【００４２】
そこで、本実施の形態における画像読取部４は、原稿検知センサー９２を廃止し、スキャナ部１３が読み取る原稿の主走査方向の幅と用紙サイズ記憶部７２１が記憶する各種用紙サイズの寸法を用いて原稿サイズ選択部７１１が原稿サイズを選び出す。原稿検知センサー９２を廃止することによって、原稿検知センサー９２の配置のために確保していた凸部９２１をなくすことができると共に、更にコストダウンを図ることができる。
【００４３】
図７は、第１の実施の形態における原稿サイズ検出処理の流れを示したフローチャートである。プラテン５が閉じられたことを開閉センサー４１が検知すると（ステップＳ１１；ＹＥＳ）、制御部７１はスキャナ部１３に対して載置台１４上の原稿の主走査方向の幅を検出させる（ステップＳ１２）。
【００４４】
そして、原稿サイズ選択部７１１は、スキャナ部１３が検出した原稿の主走査方向の幅と縦又は横の寸法が一致する用紙サイズを用紙サイズ記憶部７２１から抽出し（ステップＳ１３）、抽出された用紙サイズを表示制御部７１２が表示部９に表示させる（ステップＳ１４）。このとき、表示制御部７１２は、抽出された用紙サイズの使用回数を使用回数記憶部７２２から読み出して、表示部９の上側から使用回数の多い順番に並べて用紙サイズを表示させる。
【００４５】
図８は、ステップＳ１４において表示部９に表示される画面の一例を示した図である。例えば、原稿サイズ選択部７１１が抽出した用紙サイズがＡ３とＡ４である場合、表示制御部７１２は使用回数記憶部７２２に記憶されている各サイズの使用回数を読み出して、使用回数の多い順番に用紙サイズを記したサイズボタン５１及び５２を並べて表示させる。ここでは、Ａ３よりＡ４の方が過去の使用回数が多かったとして、Ａ４の選択ボタンであるサイズボタン５１が上に表示されている。表示制御部７１２が使用回数の多い順番にサイズボタンを表示させることによって、ユーザーは所望の用紙サイズを見つけやすくなる。
【００４６】
そして、ユーザーは、該当する原稿サイズのサイズボタンを選択する（ステップＳ１５；ＹＥＳ）。例えば、原稿サイズがＡ４である場合、ユーザーはサイズボタン５１を選択する。図８では、ユーザーがサイズボタン５１を押下したためにサイズボタン５１が選択状態にあることを示している。この状態の時にユーザーがＯＫボタン５４を押下すると、原稿サイズ選択部７１１は原稿サイズをＡ４と確定する。更に、制御部７１は、使用回数記憶部７２２に記憶されているＡ４の使用回数に１加算する（ステップＳ１６）。
【００４７】
再読み込みボタン５３は、該当する用紙サイズを示したサイズボタンがない場合に選択されるボタンである。この再読み込みボタン５３が押下されると（ステップＳ１５；ＮＯ、ステップＳ１７；ＹＥＳ）、制御部７１はスキャナ部１３に再度原稿の主走査方向の幅を読み取らせるために、ステップＳ１２へ処理を以降する。キャンセルボタン５５が押下された場合は（ステップＳ１７；ＮＯ）、制御部７１は原稿サイズの検出を行わずに処理を終了する。
【００４８】
以上、説明したように、従来から原稿サイズの検出に用いていた原稿検知センサー９２を廃止することでコストダウンを図れると共に、検知距離の確保のために必要だった凸部９２１が不要となる。従って、画像読取部４の薄型化を図ることができる。そして、ユーザーの操作負担をできるだけ抑えた形で原稿サイズを確定することができる。
【００４９】
〔第２の実施の形態〕
第１の実施の形態では、スキャナ部１３が原稿の主走査方向の幅を検出し、検出結果に基づいて原稿サイズ選択部７１１が用紙サイズ記憶部７２１から該当する用紙サイズを抽出して、抽出された用紙サイズからユーザーが該当するサイズを選択することによって原稿サイズを確定する方法について説明した。
【００５０】
第２の実施の形態では、載置台１４に置かれた原稿の向きをユーザーが入力し、原稿サイズ選択部７１１はユーザーの入力内容とスキャナ部１３が検出した原稿の主走査方向の幅とを合わせて原稿サイズを確定する方法について説明する。尚、画像形成装置１の側面図は図１で示したものと同一であるため、説明を省略する。また、第２の実施の形態におけるタッチパネル１９は原稿方向受付手段に相当する。
【００５１】
図９は、第２の実施の形態における画像形成装置１の電気的構成を示すブロック図である。図２で説明した構成要素と同じ要素については、同じ符号を付し、説明を省略する。
【００５２】
記憶部７２は、用紙サイズ記憶部７２３を有する。図１０は、用紙サイズ記憶部７２３が記憶する内容を示した図である。用紙サイズ記憶部７２３は、様々な種類の紙の縦方向と横方向の寸法を記憶する。ここで縦方向及び横方向について図１１を用いて説明する。矢印Ｘは主走査方向、矢印Ｙは主走査方向と直交する副走査方向を示している。実線で示す原稿Ｐ１は、長手方向を主走査方向に向けて配置されている。この時、ユーザー側（紙面下側）から見ると原稿が縦向きに配置されていることから、長手方向を主走査方向に向けて配置したときの原稿の向きを「縦向き」とする。
【００５３】
一方、点線で示す原稿Ｐ２は、長手方向を副走査方向に向けて配置されている。この時、ユーザー側から見ると原稿が横向きに配置されていることから、長手方向を副走査方向に向けて配置したときの原稿の向きを「横向き」とする。
【００５４】
図１０に戻る。用紙サイズ記憶部７２３は、各種紙について、載置台１４に縦方向に置いたときの主走査方向の幅と、横方向に置いたときの主走査方向の幅をそれぞれ記憶する。尚、図１０に示した内容は、用紙サイズ記憶部７２３の記憶内容を限定するものではなく、あくまで一例である。
【００５５】
図１２は、第２の実施の形態における原稿サイズ検出処理の流れを示したフローチャートである。プラテン５が閉じられたことを開閉センサー４１が検知すると（ステップＳ２１；ＹＥＳ）、表示制御部７１２は原稿の向きを入力するための画面を表示部９に表示させる（ステップＳ２２）。
【００５６】
図１３は、ステップＳ２２において表示部９に表示される画面の一例を示した図である。表示制御部７１２は、縦ボタン６１と横ボタン６２を表示させる。図１３では、ユーザーが縦ボタン６１を押下したことにより、縦ボタン６１が選択状態にあることを示している。この状態の時にユーザーがＯＫボタン６３を押下すると、原稿サイズ選択部７１１はユーザーによって選択された方向が縦方向であることを判断する。
【００５７】
ユーザーによる原稿の向きの入力がされない間（ステップＳ２３；ＮＯ）、制御部７１はステップＳ２２の処理を繰り返す。ユーザーが原稿の向きを入力すると（ステップＳ２３；ＹＥＳ）、制御部７１はスキャナ部１３に対して原稿の主走査方向の幅を検出させる（ステップＳ２４）。そして、原稿サイズ選択部７１１は、ステップＳ２３において入力された原稿の向きとスキャナ部１３が検出した原稿の主走査方向の幅に基づいて、用紙サイズ記憶部７２１から一致する用紙サイズを抽出する（ステップＳ２５）。
【００５８】
例えば、ステップＳ２３においてユーザーが縦ボタン６１を選択し、ステップＳ２４においてスキャナ部１３が検出した原稿の主走査方向の幅が２９７ｍｍである場合、原稿サイズ選択部７１１は用紙サイズ記憶部７２１の縦方向の項目に記憶されている寸法から「２９７ｍｍ」と同じ寸法を検索し、「Ａ４」を抽出する。一方、ユーザーが横ボタン６２を選択し、スキャナ部１３が検出した原稿の主走査方向の幅が１８２ｍｍである場合、原稿サイズ選択部７１１は用紙サイズ記憶部７２１の横方向の項目に記憶されている寸法から「１８２ｍｍ」と同じ寸法を検索し、「Ｂ５」を抽出する。
【００５９】
そして、表示制御部７１２が抽出された用紙サイズを表示部９に表示させると共に、用紙サイズ選択部７１１はステップＳ２５で抽出した用紙サイズを原稿サイズとして確定する（ステップＳ２６）。図１４は、ステップＳ２５において表示部９に表示される画面の一例を示した図である。表示制御部７１２は、ユーザー確認用に原稿サイズ選択部７１１が抽出した用紙サイズを表示する。
【００６０】
また、表示制御部７１２は、更にＯＫボタン６５と再読み込みボタン６６を表示させてもよい。表示された原稿サイズが正しい場合、ユーザーはＯＫボタン６５を押下する。一方、表示された原稿サイズが間違っている場合、ユーザーは再読み込みボタン６６を押下する。再読み込みボタン６６が押下されると、制御部７１はステップＳ２２又はステップＳ２４へ処理を移行して、原稿サイズの検出をやり直す。
【００６１】
尚、プラテン５の閉状態を受けて、表示制御部７１２が原稿の配置方向を入力する画面を表示部９に表示させることとしているが、プラテン５が閉じられるタイミングは、スキャナ部１３が原稿の主走査方向の幅を読み取る前であればいつでもよく、ステップＳ２１とステップＳ２２は順番が入れ替わっても構わない。
【００６２】
以上、説明したように、従来から原稿サイズの検出に用いていた原稿検知センサー９２を廃止することでコストダウンを図れると共に、検知距離の確保のために必要だった凸部９２１が不要となる。従って、画像読取部４の薄型化を図ることができる。そして、ユーザーの操作負担をできるだけ抑えた形で原稿サイズを確定することができる。
【符号の説明】
【００６３】
１      画像形成装置
４      画像読取部
４１    開閉センサー
５      プラテン
６      入力操作部
９      表示部
１３    スキャナ部
７１    制御部
７１１  原稿サイズ選択部
７１２  表示制御部
７２    記憶部
７２１、７２３  用紙サイズ記憶部
７２２  使用回数記憶部
【図１】
0005848973.tif 000002
【図２】
0005848973.tif 000003
【図３】
0005848973.tif 000004
【図４】
0005848973.tif 000005
【図５】
0005848973.tif 000006
【図６】
0005848973.tif 000007
【図７】
0005848973.tif 000008
【図８】
0005848973.tif 000009
【図９】
0005848973.tif 000010
【図１０】
0005848973.tif 000011
【図１１】
0005848973.tif 000012
【図１２】
0005848973.tif 000013
【図１３】
0005848973.tif 000014
【図１４】
0005848973.tif 000015